(57)【要約】【課題】ＲＧＢＷの４色のサブ画素による表示を、簡便かつ効果的な制御により実現した電気光学装置を提供する。【解決手段】赤色出力用サブ画素ＤＲ、緑色出力用サブ画素ＤＧ、及び青色出力用サブ画素ＤＢにそれぞれ対応する赤色信号Ｒｉ、緑色信号Ｇｉ、及び青色信号ＢｉからなるＲＧＢ色信号の入力を受けて、前記ＲＧＢ色信号における前記各色信号の出力レベルＲ，Ｇ，Ｂ（０＜Ｒ，Ｇ，Ｂ＜１）と下記（１）に示す演算式とを用いた演算によって、白色出力用サブ画素ＤＷに対応する白色信号Ｗｏの出力レベルＷを算出する白色信号演算部を信号変換部１００に備えた構成とした。    Ｗ＝（ａＲ＋ｂＧ＋ｃＢ）ｄ  ………  （１）  ただし、０＜ａ，ｂ，ｃ＜１、１≦ｄ≦４【選択図】図１
2008083483.tif 000002
【特許請求の範囲】
【請求項１】
赤色出力用サブ画素と、緑色出力用サブ画素と、青色出力用サブ画素と、白色出力用サブ画素とを含む画素を備えた電気光学装置であって、
前記赤色出力用サブ画素、緑色出力用サブ画素、及び青色出力用サブ画素にそれぞれ対応する赤色信号、緑色信号、及び青色信号からなるＲＧＢ色信号の入力を受けて、前記ＲＧＢ色信号における前記各色信号の出力レベルＲ，Ｇ，Ｂ（０＜Ｒ，Ｇ，Ｂ＜１）と下記（１）に示す演算式とを用いた演算によって、前記白色出力用サブ画素に対応する白色信号の出力レベルＷを算出する白色信号演算部を備えたことを特徴とする電気光学装置。
Ｗ＝（ａＲ＋ｂＧ＋ｃＢ）ｄ  ………  （１）
ただし、０＜ａ，ｂ，ｃ＜１、１≦ｄ≦４
【請求項２】
前記白色信号演算部を備え、
入力された前記ＲＧＢ色信号を、前記白色信号演算部により算出された出力レベルの白色信号と、前記ＲＧＢ色信号を構成する赤色信号、緑色信号、及び青色信号とからなるＲＧＢＷ色信号に変換する信号変換部を備えたことを特徴とする請求項１に記載の電気光学装置。
【請求項３】
前記信号変換部から出力された前記ＲＧＢＷ色信号を、対応する前記各サブ画素に供給するデータ信号に変換する駆動回路部を備えたことを特徴とする請求項２に記載の電気光学装置。
【請求項４】
入力された画像信号を前記ＲＧＢ入力信号に変換する画像処理部を備えたことを特徴とする請求項１から３のいずれか１項に記載の電気光学装置。
【請求項５】
前記演算式（１）の輝度係数ｄを、前記白色信号演算部から読み出し可能かつ外部制御装置から入力される情報に基づいて更新可能に保持する係数記憶部を備えたことを特徴とする請求項１から４のいずれか１項に記載の電気光学装置。
【請求項６】
前記白色信号演算部において演算に適用される演算式が、前記演算式（１）と補正係数ａ’，ｂ’，ｃ’とを用いて表される
Ｗ＝（ａ’ａＲ＋ｂ’ｂＧ＋ｃ’ｃＢ）ｄ………  （１’）
なる式であり、
前記補正係数ａ’，ｂ’，ｃ’を、前記白色信号演算部から読み出し可能かつ外部制御装置から入力される情報に基づいて更新可能に保持する係数記憶部を備えたことを特徴とする請求項１から４のいずれか１項に記載の電気光学装置。
【請求項７】
前記画素が、４色以上の前記色出力用サブ画素と、前記白色出力用サブ画素とを有することを特徴とする請求項１から６のいずれか１項に記載の電気光学装置。
【請求項８】
赤色出力用サブ画素と、緑色出力用サブ画素と、青色出力用サブ画素と、白色出力用サブ画素とを含む画素を備えた電気光学装置の駆動方法であって、
前記赤色出力用サブ画素、緑色出力用サブ画素、及び青色出力用サブ画素にそれぞれ対応する赤色信号、緑色信号、及び青色信号からなるＲＧＢ色信号の入力を受けて、前記赤色信号、緑色信号、及び青色信号の出力レベルＲ，Ｇ，Ｂ（０＜Ｒ，Ｇ，Ｂ＜１）を導出するステップと、
前記出力レベルＲ，Ｇ，Ｂを、Ｗ＝（ａＲ＋ｂＧ＋ｃＢ）ｄなる演算式（ただし、０＜ａ，ｂ，ｃ＜１、１≦ｄ≦４）に適用して前記白色出力用サブ画素の表示に供される白色信号の出力レベルＷを導出するステップと、
前記出力レベルＷの白色信号と、前記ＲＧＢ色信号とを、対応する色の前記サブ画素に供給するデータ信号に変換するステップと、
を有することを特徴とする電気光学装置の駆動方法。
【請求項９】
請求項１から７のいずれか１項に記載の電気光学装置を備えたことを特徴とする電子機器。
【請求項１０】
赤色出力用サブ画素と、緑色出力用サブ画素と、青色出力用サブ画素と、白色出力用サブ画素とを含む画素を備えた電気光学装置と、前記電気光学装置に画像信号を出力する制御装置とを備えた電子機器であって、
前記制御装置は、前記赤色出力用サブ画素、緑色出力用サブ画素、及び青色出力用サブ画素にそれぞれ対応する赤色信号、緑色信号、及び青色信号からなるＲＧＢ色信号を、前記ＲＧＢ色信号と前記白色出力用サブ画素に対応する白色信号とからなるＲＧＢＷ色信号に変換する信号変換部を有しており、
前記信号変換部は、前記ＲＧＢ色信号の入力を受けて、前記ＲＧＢ色信号における前記各色信号の出力レベルＲ，Ｇ，Ｂ（０＜Ｒ，Ｇ，Ｂ＜１）と下記（１）に示す演算式とを用いた演算によって、前記白色信号の出力レベルＷを算出する白色信号演算部を有することを特徴とする電子機器。
Ｗ＝（ａＲ＋ｂＧ＋ｃＢ）ｄ  ………  （１）
ただし、０＜ａ，ｂ，ｃ＜１、１≦ｄ≦４
【発明の詳細な説明】
【技術分野】
【０００１】
本発明は、電気光学装置とその駆動方法、及び電子機器に関するものである。
【背景技術】
【０００２】
液晶装置として、Ｒ（赤）、Ｇ（緑）、Ｂ（青）の三原色に、明るさを強調するためにさらにＷ（白）を追加して４色画素としたものが知られている（例えば特許文献１参照）。この種の液晶装置では、単に白色を加えたのでは表示色が元の画像と異なってしまうため、特許文献１記載の液晶装置では、色度の変化を抑えるために、元の画像を構成する赤、緑、及び青の色成分に白色成分を加えた後、元の画像の色成分比率に換算しなおして表示信号を生成している。
【特許文献１】特開２００１−１４７６６６号公報
【発明の開示】
【発明が解決しようとする課題】
【０００３】
しかし、特許文献１記載の液晶装置では、入力された画像信号から白色成分を抽出する回路と、白色成分を加えた各色成分を補正する回路とを設ける必要があり、回路構成が複雑で製造コストの面でも不利である。
【０００４】
本発明は、上記従来技術の問題点に鑑み成されたものであって、ＲＧＢＷの４色のサブ画素による表示を、簡便かつ効果的な制御により実現した電気光学装置を提供することを目的としている。
また本発明はＲＧＢＷの４色のサブ画素を備えた電気光学装置を簡便かつ効果的に駆動する方法を提供することを目的としている。
【課題を解決するための手段】
【０００５】
本発明の電気光学装置は、上記課題を解決するために、赤色出力用サブ画素と、緑色出力用サブ画素と、青色出力用サブ画素と、白色出力用サブ画素とを含む画素を備えた電気光学装置であって、前記赤色出力用サブ画素、緑色出力用サブ画素、及び青色出力用サブ画素にそれぞれ対応する赤色信号、緑色信号、及び青色信号からなるＲＧＢ色信号の入力を受けて、前記ＲＧＢ色信号における前記各色信号の出力レベルＲ，Ｇ，Ｂ（０＜Ｒ，Ｇ，Ｂ＜１）と下記（１）に示す演算式とを用いた演算によって、前記白色出力用サブ画素に対応する白色信号の出力レベルＷを算出する白色信号演算部を備えたことを特徴とする。
Ｗ＝（ａＲ＋ｂＧ＋ｃＢ）ｄ  ………  （１）
ただし、０＜ａ，ｂ，ｃ＜１、１≦ｄ≦４
【０００６】
上記構成によれば、極めて簡素な演算式により白色信号の出力レベルＷを算出できる白色信号演算部を備えているので、上位装置から供給されるＲＧＢ色信号（画像信号）を、適切な出力レベルの白色信号を含んだＲＧＢＷ色信号に変換して４色のサブ画素に供給するための画像信号とすることができる。
白色信号を上述した演算式（１）を用いた簡便な演算処理によってＲＧＢ色信号の出力レベルから算出することができるので、処理速度やメモリ領域の確保においてシステムへの負荷が極めて小さく、したがって駆動ＩＣへの内蔵も容易であり、安価に実現可能である。
【０００７】
本発明の電気光学装置では、前記白色信号演算部を備え、入力された前記ＲＧＢ色信号を、前記白色信号演算部により算出された出力レベルの白色信号と、前記ＲＧＢ色信号を構成する赤色信号、緑色信号、及び青色信号とからなるＲＧＢＷ色信号に変換する信号変換部を備えた構成とすることができる。
さらに上記電気光学装置では、前記信号変換部から出力された前記ＲＧＢＷ色信号を、対応する前記各サブ画素に供給するデータ信号に変換する駆動回路部を備えた構成としてもよい。
あるいは、本発明の電気光学装置では、入力された画像信号を前記ＲＧＢ入力信号に変換する画像処理部を備えた構成としてもよい。
白色信号演算部の実装形態としては、単独の回路として実装されていてもよく、他の回路素子に内蔵されている形態であってもよい。
【０００８】
本発明の電気光学装置では、前記演算式（１）の輝度係数ｄを、前記白色信号演算部から読み出し可能、かつ外部制御装置から入力される情報に基づいて更新可能に保持する係数記憶部を備えた構成とすることもできる。
この構成によれば、ユーザ設定によりユーザの好みに応じた明るさ強調表示を得ることができる電気光学装置を簡便に実現できる。
【０００９】
本発明の電気光学装置では、前記白色信号演算部において演算に適用される演算式が、前記演算式（１）と補正係数ａ’，ｂ’，ｃ’とを用いて表される
Ｗ＝（ａ’ａＲ＋ｂ’ｂＧ＋ｃ’ｃＢ）ｄ………  （１’）
なる式であり、前記補正係数ａ’，ｂ’，ｃ’を、前記白色信号演算部から読み出し可能、かつ外部制御装置から入力される情報に基づいて更新可能に保持する係数記憶部を備えた構成とすることもできる。
この構成によれば、演算式（１’）における赤、緑、及び青色信号の出力レベルＷに対する寄与度を調整することができる。
【００１０】
本発明の電気光学装置では、前記画素が、４色以上の前記色出力用サブ画素と、前記白色出力用サブ画素とを有することもできる。すなわち、４色以上の多色表示の画素を備えた電気光学装置にも本発明は適用することができる。かかる構成の多色表示電気光学装置にあっても、供給される画像信号については、通常はＲＧＢ色信号であるから、上記演算式を用いた出力レベルの算出を容易に行うことができる。したがって本構成においても、白色出力用サブ画素の出力レベルが適切に制御された表示を得ることができる。
【００１１】
本発明の電気光学装置の駆動方法は、赤色出力用サブ画素と、緑色出力用サブ画素と、青色出力用サブ画素と、白色出力用サブ画素とを含む画素を備えた電気光学装置の駆動方法であって、前記赤色出力用サブ画素、緑色出力用サブ画素、及び青色出力用サブ画素にそれぞれ対応する赤色信号、緑色信号、及び青色信号からなるＲＧＢ色信号の入力を受けて、前記赤色信号、緑色信号、及び青色信号の出力レベルＲ，Ｇ，Ｂ（０＜Ｒ，Ｇ，Ｂ＜１）を導出するステップと、前記出力レベルＲ，Ｇ，Ｂを、Ｗ＝（ａＲ＋ｂＧ＋ｃＢ）ｄなる演算式（ただし、０＜ａ，ｂ，ｃ＜１、１≦ｄ≦４）に適用して前記白色出力用サブ画素の表示に供される白色信号の出力レベルＷを導出するステップと、前記出力レベルＷの白色信号と、前記ＲＧＢ色信号とを、対応する色の前記サブ画素に供給するデータ信号に変換するステップと、を有することを特徴とする電気光学装置の駆動方法。
この駆動方法によれば、極めて簡素な演算式により白色信号の出力レベルＷを算出でき、これに基づき得られる白色信号を用いて白色出力用サブ画素を駆動できる。したがって本発明によれば、４色のサブ画素を有する電気光学装置を、簡便かつ効果的に駆動することができる。
白色信号を上述した演算式（１）を用いた簡便な演算処理によってＲＧＢ色信号の出力レベルから算出することができるので、処理速度やメモリ領域の確保においてシステムへの負荷が極めて小さい駆動方法となる。
【００１２】
本発明の電子機器は、先に記載の電気光学装置を備えたことを特徴とする。
この構成によれば、簡便かつ効果的に制御され、適切に輝度の強調がなされた表示を容易に得ることができる表示部を具備したものとなる。
【００１３】
また本発明の電子機器は、赤色出力用サブ画素と、緑色出力用サブ画素と、青色出力用サブ画素と、白色出力用サブ画素とを含む画素を備えた電気光学装置と、前記電気光学装置に画像信号を出力する制御装置とを備えた電子機器であって、前記制御装置は、前記赤色出力用サブ画素、緑色出力用サブ画素、及び青色出力用サブ画素にそれぞれ対応する赤色信号、緑色信号、及び青色信号からなるＲＧＢ色信号を、前記ＲＧＢ色信号と前記白色出力用サブ画素に対応する白色信号とからなるＲＧＢＷ色信号に変換する信号変換部を有しており、前記信号変換部は、前記ＲＧＢ色信号の入力を受けて、前記ＲＧＢ色信号における前記各色信号の出力レベルＲ，Ｇ，Ｂ（０＜Ｒ，Ｇ，Ｂ＜１）と下記（１）に示す演算式とを用いた演算によって、前記白色信号の出力レベルＷを算出する白色信号演算部を有することを特徴とする。
Ｗ＝（ａＲ＋ｂＧ＋ｃＢ）ｄ  ………  （１）
ただし、０＜ａ，ｂ，ｃ＜１、１≦ｄ≦４
【００１４】
すなわち本発明に係る白色信号演算部は、電気光学装置の外部制御装置として設けられるＭＰＵやビデオコントローラに内蔵されていてもよい。かかる構成の電子機器によれば、４色以上のサブ画素を備えた汎用の電気光学装置を、簡便かつ効果的に制御することができ、適切に輝度の強調が成された表示を容易に得ることができる表示部を具備したものとなる。
【発明を実施するための最良の形態】
【００１５】
以下、本発明の実施の形態を図面を参照して説明する。
図１（ａ）は本発明の電気光学装置の概略構成を示す図である。図１（ｂ）は図１（ａ）に示す駆動ＩＣ１１０の構成を示す図である。
【００１６】
図１（ａ）に示すように、本実施形態の電気光学装置は、赤色出力用サブ画素ＤＲと、緑色出力用サブ画素ＤＧと、青色出力用サブ画素ＤＢと、白色出力用サブ画素ＤＷの４色のサブ画素からなる画素Ｐと、画素Ｐと電気的に接続された駆動ＩＣ１１０とを備えて構成されている。
駆動ＩＣ１１０は、図１（ｂ）に示すように、信号変換部１００と、駆動回路部１０１とを備えている。信号変換部１００は、図示略の外部ＭＰＵ（マイクロプロセッサ）やビデオコントローラから供給されるＲＧＢ色信号ＲＧＢｉを、白色信号を加えたＲＧＢＷ色信号（Ｒｏ，Ｇｏ，Ｂｏ，Ｗｏ）に変換して出力する。
【００１７】
信号変換部１００は、ＲＧＢ色信号の入力を受けて白色信号の出力レベルを算出する白色信号演算部を含んだ白色信号生成部１０５と、白色信号生成部１０５において演算に使用される係数を保持する係数記憶部１０６とを備えている。
白色信号演算部は、ＲＧＢ色信号を構成する赤色信号Ｒｉ、緑色信号Ｇｉ、青色信号Ｂｉの出力レベルＲ，Ｇ，Ｂ（０＜Ｒ，Ｇ，Ｂ＜１）と、下記（１）に示す演算式とを用いた演算によって、前記白色出力用サブ画素ＤＷに対応する白色信号Ｗｉの出力レベルＷを算出する。
【００１８】
Ｗ＝（ａＲ＋ｂＧ＋ｃＢ）ｄ  ………  （１）
ただし、０＜ａ，ｂ，ｃ＜１、１≦ｄ≦４
【００１９】
上記演算式（１）において、係数ａ，ｂ，ｃ、及び輝度係数ｄは、当該電気光学装置においてあらかじめ設定された定数である。
係数ａ，ｂ，ｃ（０＜ａ，ｂ，ｃ＜１）は、例えば、サブ画素ＤＲ，ＤＧ，ＤＢから射出される光の強度と画素Ｐ全体の輝度との関係を考慮して設定することができる。この場合、（ａ，ｂ，ｃ）＝（０．２９９８，０．５８６８，０．１１４４）に設定するのがよい。かかる設定によれば、画素Ｐ内において相対的に明るく視認される緑色信号Ｇｉの出力レベルＧの白色信号の出力レベルＷに対する重み付けを比較的大きくし、他の色信号Ｒｉ，Ｂｉについても明るさに対する寄与度に応じた重み付けとしているので、画素Ｐを明るく表示するＲＧＢ色信号が入力された場合に、効果的に白色出力用サブ画素ＤＷを点灯させることができ、また色度が大きく変化するのを防止できる。したがって、表示品質を保持しつつ明るさを強調した表示が可能になる。
【００２０】
また輝度係数ｄ（１≦ｄ≦４）は、ＲＧＢ色信号の出力レベルＲ，Ｇ，Ｂの増減に対する白色信号の出力レベルＷの変化率を決定する係数である。図２には、係数ｄを１〜３の範囲で変化させたときに得られる出力レベルＷの曲線を示している。図２に示すように、輝度係数ｄを大きくすることで、ＲＧＢ色信号全体の出力レベルを反映する（ａＲ＋ｂＧ＋ｃＢ）の値が大きい領域（高輝度領域）ほど出力レベルＷの傾きが大きくなるように演算式を設定することができる。ｄ＝４であれば、低輝度領域における出力レベルＷの傾きと高輝度領域における出力レベルＷの傾きとの差をさらに大きくすることができる。
輝度係数ｄの設定値は好ましくはｄ＝２であり、かかる設定とすることで、低輝度の画素では白色出力用サブ画素ＤＷの出力をｄ＝１のときよりもさらに低くして色度の変化を防止でき、高輝度の画素において白色出力用サブ画素ＤＷの出力変化が大きくなるので、画素Ｐの明るさの変化をさらに際だたせることができる。
【００２１】
駆動回路部１０１は、少なくとも、信号変換部１００から供給されるＲＧＢＷ色信号を、対応する色のサブ画素のデータ信号（階調データ）Ｓｒ，Ｓｇ，Ｓｂ，Ｓｗに変換するデータ信号生成部と、これらのデータ信号を、各サブ画素の選択動作に同期してサブ画素ＤＲ，ＤＧ，ＤＢ，ＤＷに出力する信号出力部とを備えている。そして、信号変換部１００から供給されるＲＧＢＷ色信号を、対応する色のサブ画素のデータ信号（階調データ）Ｓｒ，Ｓｇ，Ｓｂ，Ｓｗに変換し、対応する色の各サブ画素に対して出力する。
【００２２】
上記構成を備えた本実施形態の電気光学装置は、図示しないＭＰＵやビデオコントローラから駆動ＩＣ１１０へのＲＧＢ色信号ＲＧＢｉの入力を受けて、駆動ＩＣ１１０に入力する。
駆動ＩＣ１１０では、入力されたＲＧＢ色信号ＲＧＢｉを信号変換部１００に入力する。
信号変換部１００は、内蔵された白色信号生成部１０５の白色信号演算部において、入力されたＲＧＢ色信号の出力レベルＲ，Ｇ，Ｂ（０＜Ｒ，Ｇ，Ｂ＜１）を導出する。その後に得られた出力レベルＲ，Ｇ，Ｂと上記演算式（１）とを用いた演算により白色信号の出力レベルＷを算出し、得られた出力レベルの白色信号Ｗｏと、入力された色信号Ｒｉ，Ｇｉ，Ｂｉをそのまま出力信号とした色信号Ｒｏ，Ｇｏ，ＢｏとからなるＲＧＢＷ色信号を駆動回路部１０１に出力する。
そして、駆動回路部１０１は、入力されたＲＧＢＷ色信号を対応する色のサブ画素用のデータ信号Ｓｒ，Ｓｇ，Ｓｂ，Ｓｗに変換して出力し、かかるデータ信号の入力により、サブ画素ＤＲ，ＤＧ，ＤＢ，ＤＷがデータ信号の出力レベルに応じて点灯する結果、画素Ｐがこれらのサブ画素の色を混色した表示となる。
【００２３】
上記構成において、輝度係数ｄは、白色信号演算部から読み出し可能に係数記憶部１０６に保持し、さらに外部制御装置から入力される情報に基づき更新可能になっている。すなわち、係数記憶部１０６に保持している輝度係数ｄの値が外部から変更可能であり、これにより輝度係数ｄについてユーザによる設定変更が可能になる。このように本実施形態の電気光学装置は、明るさの強調度をユーザが好みに応じて設定できるようになっている。なお、ユーザ入力のみならず、外部機器に設けられた明るさセンサの検知情報に基づいて外部制御装置で再設定した輝度係数ｄが入力されるようにしてもよい。
また、係数記憶部１０６に保持されている輝度係数ｄは、白色信号演算部における演算のたびに係数記憶部１０６から読み出して演算式（１）に代入するようにしてもよく、外部制御装置からの入力により係数記憶部１０６が更新された場合にのみ係数記憶部１０６から新たな輝度係数ｄを読み出すようにしてもよい。
【００２４】
また本実施形態において、演算式（１）の係数ａ，ｂ，ｃを、輝度係数ｄと同様に外部制御装置からの入力によって変更可能に構成することもできる。係数ａ，ｂ，ｃは、ＲＧＢ色信号における赤、緑、及び青色信号の出力レベルＷに対する寄与度を決定するものであり、その設定範囲も広いため、無制限にユーザ設定を許可すると適切な表示状態が損なわれ、再設定が困難になるおそれがある。そこで、本発明では、係数ａ，ｂ，ｃの補正を、別途用意した補正係数ａ’，ｂ’，ｃ’を用いて行うことが好ましい。この場合、係数ａ，ｂ，ｃのそれぞれに対して補正係数ａ’，ｂ’，ｃ’を乗じることで前記係数を補正する。そうすると、演算式（１）は、以下の演算式（１’）のように書き換えることができる。
【００２５】
Ｗ＝（ａ’ａＲ＋ｂ’ｂＧ＋ｃ’ｃＢ）ｄ  ………  （１’）
【００２６】
上記補正係数ａ’，ｂ’，ｃ’を用いる場合、これらの補正係数を係数記憶部１０６に保持しておき、外部制御装置からの入力により補正係数ａ’，ｂ’，ｃ’を更新することで、演算式（１’）における赤、緑、及び青色信号の出力レベルＷに対する寄与度を調整することができる。かかる補正係数を用いる場合にも、ユーザ入力に基づく更新のほか、他の制御機器の動作に伴って外部制御機器から入力される情報に基づいた更新が可能である。
【００２７】
以上説明した本実施形態の電気光学装置によれば、白色信号演算部を有する信号変換部１００を備えていることで、上位装置から供給されるＲＧＢ色信号（画像信号）を、適切な出力レベルの白色信号Ｗｏを含んだＲＧＢＷ色信号に変換することができる。そして、前記白色信号は、上述した演算式（１）を用いた簡便な演算処理によってＲＧＢ色信号の出力レベルから算出することができるので、処理速度やメモリ領域の確保においてシステムへの負荷が極めて小さくなる。したがって駆動ＩＣ１１０への内蔵も容易であり、安価に製造可能になる。
【００２８】
また、本実施形態の電気光学装置では、白色信号生成部１０５に接続された係数記憶部１０６に、白色信号演算部から読み出し可能に輝度係数ｄあるいは補正係数ａ’，ｂ’，ｃ’を保持し、これらの係数を外部制御装置からの入力により更新可能となっているので、ユーザの好みに応じて輝度の強調度を調整することが可能である。
【００２９】
上記実施形態では、白色信号演算部を有する信号変換部１００を、駆動ＩＣ１１０に内蔵した場合について説明した。しかし、本発明に係る電気光学装置における駆動制御系は上記構成に限定されるものではなく、例えば、図３に示す構成も適用することができる。
【００３０】
図３（ａ）は、本発明の電気光学装置の第１の変形例を示す概略構成図である。図３（ａ）に示す第１の変形例に係る電気光学装置は、４色のサブ画素ＤＲ，ＤＧ，ＤＢ，ＤＷからなる画素Ｐと、信号変換部１００Ａと、駆動回路部１０１Ａとを備えている。すなわち、上記実施形態では駆動ＩＣ１１０に一体化されていた信号変換部１００と駆動回路部１０１とを、別個の回路である信号変換部１００Ａ及び駆動回路部１０１Ａとして設けた構成である。このように別個の回路として信号変換部１００Ａを設ける構成とすることで、従来構成に対して駆動回路部１０１Ａや画素Ｐの構成に変更を加えることなく本発明の構成を実現できる利点がある。
【００３１】
図３（ｂ）は、本発明の電気光学装置の第２の変形例を示す概略構成図である。図３（ａ）に示す第２の変形例に係る電気光学装置は、ＹＵＶ信号やＮＴＳＣコンポジット信号などの他形式の画像信号Ｖｉｄｅｏの入力を受けて、ＲＧＢＷ色信号を出力する画像処理部１０２と、駆動回路部１０１Ａとを備えている。
画像処理部１０２は、画像信号の変換を行う画像変換部と、本発明に係る信号変換部１００とを備えている。換言すれば、画像処理部１０２は、信号変換部１００を備えたビデオコントローラである。画像処理部１０２は、入力された画像信号Ｖｉｄｅｏを、画像変換部においてＲＧＢ色信号に変換し、かかるＲＧＢ色信号を信号変換部１００に入力してＲＧＢＷ色信号への変換を行う。そして、ＲＧＢＷ色信号を駆動回路部１０１Ａに対して出力するようになっている。
上記構成の第２の変形例では、ビデオコントローラ内蔵の電気光学装置となるので、電子機器への実装に際しての汎用性が高くなる。また従来構成に対して駆動回路部１０１Ａ及び画素Ｐの構成に変更を加えることなく本発明の構成を実現できる。
【００３２】
なお、図１（ａ）及び図３（ａ）に示した構成において、駆動ＩＣ１１０又は信号変換部１００Ａの前段に、他形式の画像信号をＲＧＢ色信号に変換する画像処理部（ビデオコントローラ）を設けてもよいのは勿論である。さらに図１（ａ）に示した構成にあっては、画像処理部を駆動ＩＣ１１０に内蔵してもよい。
【００３３】
また上記各本実施形態では、細長い矩形状のサブ画素をそれらの幅方向に配列した画素Ｐを備えた電気光学装置について説明したが、本発明に係る電気光学装置において、１画素におけるサブ画素の配置形態やサブ画素の個数は上記実施形態に限定されない。
例えば、図４（ａ）に示すように、４色のサブ画素ＤＲ，ＤＧ，ＤＢ，ＤＷを、２行×２列に配置した構成や、図４（ｂ）に示すように、５色のサブ画素ＤＲ，ＤＧ（Ｇ１），ＤＧ（Ｇ２），ＤＢ，ＤＷを配列した構成であってもよい。５色のサブ画素を備えた構成の場合にも、上位装置から供給される画像信号は、通常、ＲＧＢ色信号であるから、かかるＲＧＢ色信号の入力を受けてＲＧＢＷ色信号を出力する信号変換部１００を備えた構成とすることで、白信号の出力レベルが適切に設定された表示を得ることができる。
【００３４】
また、図１、図３及び図４に示した画素構成において、各色のサブ画素の面積率を変更してもよい。本発明では、白色信号の出力レベルＷに対する赤、緑、青色信号の寄与度である係数ａ，ｂ，ｃを広い範囲で設定できるので、各色のサブ画素の面積率に応じて係数ａ，ｂ，ｃを調整することで、白色出力用サブ画素の出力を容易に最適化することができる。
【００３５】
（電気光学装置の構成例）
以下、本発明に係る電気光学装置の具体的構成例として、液晶装置及び有機ＥＬ装置を挙げて説明する。
【００３６】
［液晶装置］
図５（ａ）は、本発明に係る電気光学装置の一実施形態である液晶装置の平面構成図であり、図５（ｂ）は図５（ａ）の断面構成図である。
液晶装置１５０は、表示ユニットである液晶パネル（電気光学装置）２と、液晶パネル２の背面側（図示下面側）に配設されたバックライト（照明装置）５とを備えて構成されている。
【００３７】
液晶パネル２は、液晶３２を挟んで対向する第１基板２２aと第２基板２２ｂとを、これら２枚の基板の周縁部に環状に設けたシール材２３によって接着一体化したものである。本実施形態の液晶パネル２の表示面を構成する第１基板２２ａは、透明基板である基板本体２４ａの液晶層側の面に、透光性の共通電極２６ａや配向膜（図示略）等からなる液晶配向制御層が形成された構成を備える。表示面と反対側（図示下面側）に配置された第２基板２２ｂは、透明基板である基板本体２４ｂの液晶層側の面に、透光性の画素電極２６ｂや配向膜（図示略）等からなる液晶配向制御層が形成された構成を備える。液晶パネル２を構成する２枚の基板２２ａ、２２ｂの間には、基板２２ａ、２２ｂ間の距離（セルギャップ）を一定に保持するための粒状のスペーサ２９が分散配置されている。
【００３８】
バックライト５は、透明樹脂材料等からなる導光板１５と、導光板１５の一側端面に配設された光源１６と、導光板１５の背面側（液晶パネル２と反対側）に配設された反射板１７とを備えて構成されている。光源１６はＬＥＤ（発光ダイオード）や冷陰極管等により構成されており、光源１６から出力された光を導光板１５の前記側端面から導光板１５内に導入し、当該光を反射板１７により反射させつつ液晶パネル２側へ照明光として射出するようになっている。
【００３９】
液晶パネル２は、パッシブマトリクス型又はアクティブマトリクス型のいずれであってもよく、液晶の配向形態も、ＴＮ型、ＶＡＮ型、ＳＴＮ型、強誘電型、反強誘電型等の種々の公知の形態を採り得る。また、いずれかの基板にカラーフィルタを配置してカラー表示を行なわせることも可能である。また、第２基板２２ｂに開口部やスリット等の透光部を有する反射膜を形成して半透過反射型の液晶表示装置を構成してもよい。
【００４０】
液晶パネル２の第２基板２２ｂには、第１基板２２ａの外周側に張り出した張り出し部２４ｃが設けられている。この張り出し部２４ｃは実装端子形成領域として使用するものである。張り出し部２４ｃには図示略の配線パターンが形成されており、第２基板２２ｂの画素電極２６ｂは図示略のスイッチング素子及び配線パターンを介して張り出し部２４ｃの配線パターンに電気的に接続されている。また、第１基板２２ａの共通電極２６ａも図示略の配線パターン及び導通材を介して張り出し部２４ｃの配線パターンと電気的に接続されている。そして、張り出し部２４ｃの配線パターンに対して、液晶パネル２を電気的に駆動する駆動ＩＣ１１０が実装されている。この駆動ＩＣ１１０の実装形態としては、ＣＯＧ実装やＦＰＣ実装等を用いることができる。
【００４１】
液晶パネル２のシール材２３に囲まれた内側に形成された表示領域には、４色のサブ画素ＤＲ，ＤＧ，ＤＢ，ＤＷからなる画素Ｐが、平面視マトリクス状に配列されている。各サブ画素の色種は、各々のサブ画素に対応して設けられたカラーフィルタにより決定される。白色出力用サブ画素ＤＷは、着色されたカラーフィルタを設けない構成か、あるいは透明なカラーフィルタが設けられた構成とされる。
【００４２】
ここで図６は、上記サブ画素が配列された表示領域の等価回路図である。液晶パネル２の表示領域には、データ線６ａおよび走査線３ａが格子状に配置され、両者の交点付近には、画像表示単位であるサブ画素が配置されている。したがって画素Ｐを構成する各サブ画素ＤＲ，ＤＧ，ＤＢ，ＤＷは、データ線６ａ及び走査線３ａを介して駆動ＩＣ１１０と電気的に接続されている。
【００４３】
マトリクス状に配置された複数のサブ画素には、それぞれ画素電極２６ｂが設けられている。画素電極２６ｂの近傍には、画素電極２６ｂへの通電制御を行うためのスイッチング素子であるＴＦＴ３０が形成されている。このＴＦＴ３０のソースには、データ線６ａが電気的に接続されている。各データ線６ａにはデータ信号Ｓ１、Ｓ２、‥、Ｓｎ（図１に示したデータ信号Ｓｒ，Ｓｇ，Ｓｂ，Ｓｗ）が供給される。ＴＦＴ３０のゲートには、走査線３ａが電気的に接続されている。走査線３ａには、所定のタイミングでパルス的に走査信号Ｇ１、Ｇ２、‥、Ｇｍが供給される。またＴＦＴ３０のドレインには、画素電極２６ｂが電気的に接続されている。そして、走査線３ａから供給された走査信号Ｇ１、Ｇ２、‥、Ｇｍにより、スイッチング素子であるＴＦＴ３０を一定期間だけオン状態にすると、データ線６ａから供給されたデータ信号Ｓ１、Ｓ２、‥、Ｓｎが、各画素の液晶に所定のタイミングで書き込まれるようになっている。
【００４４】
液晶に書き込まれた所定レベルのデータ信号Ｓ１、Ｓ２、‥、Ｓｎは、画素電極２６ｂと後述する共通電極との間に形成される液晶容量で一定期間保持される。また保持されたデータ信号Ｓ１、Ｓ２、‥、Ｓｎがリークするのを防止するため、画素電極２６ｂと容量線３ｂとの間に蓄積容量７０が形成され、液晶容量と並列に配置されている。そして、上記のように液晶に電圧信号が印加されると、印加された電圧レベルにより液晶の配向状態が変化する。これにより、液晶に入射した光が変調されて階調表示が可能となっている。
【００４５】
上記構成の液晶装置１５０は、駆動ＩＣ１１０から４色のサブ画素ＤＲ，ＤＧ，ＤＢ，ＤＷに対してデータ信号Ｓｒ，Ｓｇ，Ｓｂ，Ｓｗが供給されて表示を行えるようになっている。そして、極めて簡素な演算式により白色信号の出力レベルＷを算出できる白色信号演算部を備えているので、上位装置から供給されるＲＧＢ色信号（画像信号）を、適切な出力レベルの白色信号Ｗｏを含んだＲＧＢＷ色信号に変換して４色のサブ画素に供給するデータ信号とすることができる。白色信号を上述した演算式（１）を用いた簡便な演算処理によってＲＧＢ色信号の出力レベルから算出することができるので、処理速度やメモリ領域の確保においてシステムへの負荷が極めて小さく、したがって駆動ＩＣへの内蔵も容易であり、安価に製造可能な液晶装置となる。
【００４６】
［有機ＥＬ装置］
図７（ａ）は、本発明の電気光学装置の一実施形態である有機ＥＬ装置の平面構成図である。図７（ｂ）は同有機ＥＬ装置の回路構成図である。図８（ａ）は、同、有機ＥＬ装置の画素構造を示す平面図である。図８（ｂ）は、画素Ｐの断面構造を示す図であって、図８（ａ）のＣ−Ｃ’線に沿うものである。
【００４７】
図７（ａ）に示すように、有機ＥＬ装置２００は、対向配置された素子基板２０２と封止基板２３０とを備えている。これらの基板の間に、画像表示を行う表示領域が形成されている。素子基板２０２が封止基板２３０よりも張り出した領域には、駆動ＩＣ１１０が実装されている。表示領域には、４色のサブ画素ＤＲ，ＤＧ，ＤＢ，ＤＷからなる画素Ｐが、平面視マトリクス状に配列されている。各サブ画素の色種は、各々のサブ画素に対応して設けられた有機ＥＬ素子の発光色により決定される。この場合には、白色出力用サブ画素ＤＷは、白色発光層が形成される。あるいは、白色発光層を備えた有機ＥＬ素子とカラーフィルタとを組み合わせた態様の有機ＥＬ装置を構成してもよい。この場合には、白色出力用サブ画素ＤＷには、カラーフィルタが設けられないか、あるいは透明なカラーフィルタが設けられる。
【００４８】
図７（ｂ）に示すように、有機ＥＬ装置２００の表示領域には、複数の走査線２３１と、走査線２３１に対して交差する方向に延びる複数の信号線２３２と、信号線２３２に並列に延びる複数の共通給電線２３３とがそれぞれ配線されており、走査線２３１及び信号線２３２の各交点ごとにサブ画素Ｄ（ＤＲ，ＤＧ，ＤＢ，ＤＷ）が設けられている。走査線２３１及び信号線２３２は、駆動ＩＣ１１０と電気的に接続されており、駆動ＩＣ１１０から同期した走査信号とデータ信号とが、それぞれ走査線２３１及び信号線２３２に供給されるようになっている。サブ画素Ｄの各々には、走査線２３１を介して走査信号がゲート電極に供給されるスイッチングＴＦＴ２０３と、スイッチングＴＦＴ２０３を介して信号線２３２から供給されるデータ信号（Ｓｒ，Ｓｇ，Ｓｂ，Ｓｗ）を保持する保持容量ｃａｐと、保持容量ｃａｐによって保持されたデータ信号がゲート電極に供給される駆動用ＴＦＴ２０４と、駆動用ＴＦＴ２０４を介して共通給電線２３３に電気的に接続したときに共通給電線２３３から駆動電流が流れ込む画素電極（陽極）２２３と、画素電極２２３と陰極２５０との間に挟み込まれる発光層２６０と、が設けられている。
【００４９】
図８（ｂ）に示すように、本実施形態の有機ＥＬ装置２００は、発光層２６０における発光光を封止基板２３０側から取り出すトップエミッション型の有機ＥＬ装置である。したがって素子基板２０２としては透明基板のほか不透明基板を用いることも可能である。透明基板としては、ガラスや石英、樹脂（プラスチック、プラスチックフィルム）等を用いることが可能であり、特にガラス基板が好適に用いられる。
【００５０】
素子基板２０２上には、発光素子２５３の駆動用ＴＦＴ２０４などを含む回路層２０５が形成されている。回路層２０５の表面には、シリコン酸化物等からなる第１層間絶縁層２８３が形成されている。第１層間絶縁層２８３の上層には、感光性、絶縁性および耐熱性を備えたアクリル系やポリイミド系等の樹脂材料を主体とする、有機絶縁膜（平坦化膜）２８４が形成されている。この有機絶縁膜２８４は、駆動用ＴＦＴ２０４やソース電極２４３、ドレイン電極２４４などによる表面の凹凸を抑制するために形成されている。
有機絶縁膜２８４の表面には、反射膜２２７が形成されている。反射膜２２７は、ＡｇやＡｌ等の高反射率の金属材料で構成することが望ましい。図８（ａ）に示すように反射膜２２７は、平面視（素子基板の法線方向からみた場合）において、発光素子２５３の形成領域よりも広く形成されている。
【００５１】
図８（ｂ）に示すように、反射膜２２７を覆うように、シリコン酸化物やシリコン窒化物等からなる無機絶縁膜（パッシベーション膜２２５が形成されている。この無機絶縁膜２２５は、反射膜２２７と画素電極２２３とを電気的に分離するとともに、両者間の電触を防止する機能を有している。また無機絶縁膜２２５は、画素電極２２３をパターニングする際のエッチング液から、反射膜２２７および有機絶縁膜２８４を保護する機能を有している。
【００５２】
無機絶縁膜２２５上に、ＩＴＯ等の透明導電膜からなる画素電極２２３が形成されている。図８（ａ）に示すように、画素電極２２３は発光素子２５３の形成領域よりも広く形成され、有機ＥＬ装置の開口率の向上が図られている。また複数の画素電極２２３が、マトリクス状に整列配置されている。発光素子２５３の形成領域に隣接して、有機絶縁膜を貫通するコンタクトホール２７０が形成されている。なお、図８（ｂ）には表していないが、コンタクトホール２７０を介して画素電極２２３と駆動用ＴＦＴ２０４のドレイン電極２４４とが電気的に接続されている。
【００５３】
図８（ｂ）に戻り、画素電極２２３の周囲には、ポリイミド等の有機絶縁材料からなる有機隔壁２２１が形成されている。有機隔壁２２１は画素電極２２３の周縁部に乗り上げるように形成され、有機隔壁２２１の開口部２２１ａの底部には画素電極２２３が露出している。そして、開口部２２１ａの内側における画素電極２２３の表面に複数の機能膜が積層形成されて、発光素子２５３が構成されている。すなわち、有機隔壁２２１の開口部２２１ａにより、発光素子２５３の形成領域が規定されている。
【００５４】
発光素子２５３は、陽極として機能する画素電極２２３と、有機ＥＬ物質からなる発光層２６０と、陰極として機能する共通電極２５０とを、少なくとも積層して構成されている。発光素子２５３により画像表示単位となるサブ画素ＤＲ，ＤＧ，ＤＢ，ＤＷが構成され、異なる色光の発光素子の組み合わせにより１個の画素Ｐが構成されている。
【００５５】
共通電極２５０の表面には、シリコン酸化物等からなる無機封止膜２４１が形成されている。さらに接着層２４０を介して、ガラス等の透明材料からなる封止基板２３０が貼り合わされている。無機封止膜２４１により、封止基板２３０側から発光素子２５３への水分や酸素等の浸入が防止されている。なお、共通電極２５０の全体を覆う封止キャップを素子基板２０２の周縁部に固着し、その封止キャップの内側に水分や酸素等を吸収するゲッター剤を配置してもよい。
【００５６】
トップエミッション型の有機ＥＬ装置では、光取出し効率を向上させるため共通電極２５０が薄膜状に形成されるので、共通電極２５０の導電性が低くなっている。そこで、図８（ａ）に示すように、共通電極の表面にライン状の補助電極２５２が形成されている。この補助電極２５２は、上述した共通電極の導電性を補助するものであり、導電性に優れたＡｌやＡｕ、Ａｇ等の金属材料で構成されている。また補助電極２５２は、開口率の低下を防止するため、サブ画素Ｄの周囲に配置されている。
【００５７】
上述した有機ＥＬ装置では、外部から供給されたデータ信号が、駆動用ＴＦＴ２０４により所定のタイミングで画素電極２２３に印加される。そして、画素電極２２３から注入された正孔と、共通電極２５０から注入された電子とが、発光層２６０で再結合して所定波長の光が放出される。共通電極５０側に放出された光は、透明材料からなる封止基板２３０を透過して外部に取り出される。また画素電極２２３側に放出された光は、反射膜２２７により反射され、封止基板２３０から外部に取り出される。これにより、封止基板２３０側において画像表示が行われるようになっている。
【００５８】
上記構成の有機ＥＬ装置２００は、駆動ＩＣ１１０から４色のサブ画素ＤＲ，ＤＧ，ＤＢ，ＤＷに対してデータ信号Ｓｒ，Ｓｇ，Ｓｂ，Ｓｗが供給されて表示を行えるようになっている。そして、極めて簡素な演算式により白色信号の出力レベルＷを算出できる白色信号演算部を備えているので、上位装置から供給されるＲＧＢ色信号（画像信号）を、適切な出力レベルの白色信号Ｗｏを含んだＲＧＢＷ色信号に変換して４色のサブ画素に供給するデータ信号とすることができる。
白色信号を上述した演算式（１）を用いた簡便な演算処理によってＲＧＢ色信号の出力レベルから算出することができるので、処理速度やメモリ領域の確保においてシステムへの負荷が極めて小さく、したがって駆動ＩＣへの内蔵も容易であり、安価に製造可能な有機ＥＬ装置となっている。
【００５９】
（電子機器）
図９は、本発明に係る電子機器の一例である携帯電話の斜視構成図である。同図に示す携帯電話機１３００は、複数の操作ボタン１３０２と、受話口１３０３と、送話口１３０４と、先の実施形態の電気光学装置（液晶装置、有機ＥＬ装置）からなる表示部１３０１とを備えて構成されている。かかる携帯電話としては、表示部１３０１に送信する画像信号を、白色信号演算部を含むビデオコントローラ又はＭＰＵによって白色信号を含むＲＧＢＷ色信号に変換することができる構成も適用できる。
【００６０】
なお、本発明に係る電気光学装置を備えた電子機器としては、上記のものに限らず、他に例えば、デジタルカメラ、パーソナルコンピュータ、テレビ、携帯用テレビ、ビューファインダ型・モニタ直視型のビデオテープレコーダ、ＰＤＡ、携帯用ゲーム機、ページャ、電子手帳、電卓、時計、ワードプロセッサ、ワークステーション、テレビ電話、ＰＯＳ端末、タッチパネルを備えた機器などを挙げることができる。
【図面の簡単な説明】
【００６１】
【図１】本発明の電気光学装置と駆動ＩＣの概略構成図。
【図２】輝度係数ｄの作用説明図。
【図３】本発明の電気光学装置の変形例を示す図。
【図４】本発明の電気光学装置の他の画素構成を示す図。
【図５】本発明の電気光学装置の一例である液晶装置を示す図。
【図６】同、液晶装置の等価回路図。
【図７】本発明の電気光学装置の一例である有機ＥＬ装置の等価回路図。
【図８】同、有機ＥＬ装置の画素構造を示す図。
【図９】電子機器の一例を示す図。
【符号の説明】
【００６２】
Ｐ  画素、ＤＲ，ＤＧ，ＤＢ，ＤＷ  サブ画素、１００，１００Ａ  信号変換部、１０１，１０１Ａ  駆動回路部、１０２  画像処理部、１１０  駆動ＩＣ、１０５  白色信号生成部（白色信号演算部）、１０６  係数記憶部
【図１】
2008083483.tif 000003
【図２】
2008083483.tif 000004
【図３】
2008083483.tif 000005
【図４】
2008083483.tif 000006
【図５】
2008083483.tif 000007
【図６】
2008083483.tif 000008
【図７】
2008083483.tif 000009
【図８】
2008083483.tif 000010
【図９】
2008083483.tif 000011